Podtech/llm-jp-corpus-v4-ja_patent huggingface dataset:
(57)【要約】【課題】携帯電話連結用装身具及び、その他連結用装身具として実用性と装飾性を兼ね備えることが課題である。【解決手段】全長を４０ｍｍから１７００ｍｍとする、鎖状もしくは紐状もしくは管状部の両端に開閉機構等を有する連結具を用い、その一方に携帯電話・その他取り付け用の連結具を備えた組み合せとする。そのことによって、連結具と携帯電話を鞄やベルト通しやその他を使って、使用形態を限定しない連結が可能となる。また、携帯電話・その他取り付け用の連結具に取り付けられた携帯電話・その他の、取り入れ・取り外しが容易に行えることから携帯電話・その他の使用を妨げない。また使用形態を限定しないことによって、形状を限定しない様々な装飾部品を付加させて装飾性を増すことも可能になることを提案するものである。【選択図】図１
0003112123.tif 000002
【実用新案登録請求の範囲】
【請求項１】
鎖状もしくは紐状もしくは管状部と、鎖状もしくは紐状もしくは管状部の両端に開閉機構等を有する連結具を用い、その一方に携帯電話・その他取り付け用の連結具を備えた装身具。
【請求項２】
全長を４０ｍｍから１７００ｍｍとする請求項１記載の装身具。
【請求項３】
携帯電話・その他取り付け用の連結具に取り付けられた携帯電話・その他の、取り入れ・取り外しが容易に行えることから携帯電話・その他の使用を妨げないことから、使用形態を限定しないことによって、形状を限定しない様々な装飾部品を付加させて装飾性を増すことも可能になる請求項１記載の装身具。
【考案の詳細な説明】
【技術分野】
【０００１】この考案は、携帯電話本体・その他等と鞄やズボンのベルト通し等を連結することにより、携帯電話・その他等の紛失も防止する装飾的な携帯電話連結用装身具及び、その他連結用装身具である。
【背景技術】
【０００２】従来の携帯電話連結用装身具、その他連結用装身具といえば、ネックストラップのような首からかける形態のものにとどまり、また、使用者に対して首からかけるという身体的負荷を考慮されたが故の構成になっている為、実用的であり、著しく装飾性を欠いていた。
【考案の開示】
【考案が解決しようとする課題】
【０００３】携帯電話連結用装身具及び、その他連結用装身具として実用性と装飾性を兼ね備えることが課題である。
【考案が解決しようとする手段】
【０００４】この考案は、上記実情に鑑み、全長を４０ｍｍから１７００ｍｍとする、鎖状もしくは紐状もしくは管状部の両端に開閉機構等を有する連結具を用い、その一方に携帯電話・その他取り付け用の連結具を備えた組み合せ。
【考案の効果】
【０００５】この考案により、開閉機構等を有する連結具等を用いていることから、携帯電話を鞄やベルト通しやその他を使って、使用形態を限定しない連結が可能となる。また、携帯電話・その他取り付け用の連結具に取り付けられた携帯電話・その他の、取り入れ・取り外しが容易に行えることから携帯電話・その他の使用を妨げない。使用形態を限定しないことによって様々な装飾性を付加させることも可能になることを提案するものである。
【考案を実施するための最良の形態】
【０００６】この考案では、全体を適度な強度を持つ素材を用い、また各種の装飾具を用いる。携帯電話・その他取り付け用の連結具を、携帯電話・その他に取り付け、他方の開閉機構等を有する連結具を鞄やベルト通し等と連結し、紛失等を防止し、取り外し・取り入れも容易にできる。呼び出し時は鎖状もしくは紐状もしくは管状部を手繰ることにより、手早く通話を開始することができる。
【実施例】
【０００７】以下、この考案を図示の実施例に基づいて詳細に説明する。本考案は１の鎖状もしくは紐状もしくは管状部と、その両端に２の開閉機構等を有する連結具等と、その一方に３の携帯電話・その他取り付け用の連結具を備えた組み合せとなっている。
【図面の簡単な説明】
【０００８】
【図１】この考案の実施例を示す正面部方向からの視線図
【図２】同上の実施例における背面部方向からの視線図
【図３】同上の実施例における左側面図
【図４】同上の実施例における右側面図
【符号の説明】
【０００９】１は鎖状もしくは紐状もしくは管状部
２は開閉機構等を有する連結具等
３は携帯電話・その他取り付け用の連結具
【図１】
0003112123.tif 000003
【図２】
0003112123.tif 000004
【図３】
0003112123.tif 000005
【図４】
0003112123.tif 000006
(57)【要約】      （修正有）【課題】立式雛人形を簡素化すると共に、組立式にし、組立、解体が容易に行える様にする。【解決手段】扇状の表布１ａと裏布を縫い合せ円錐形に輪にした胴部１、正方形の布を中央に穴２ａを開け二つ折りにし突起部に差し込み、胸部２、首部３、頭部４を、４に開けた穴に３を差し込む。３と４で出来た部品を突起部の穴に差し込み完成させる。この様に製作工程を減らし簡単に組立出来るものとした。【選択図】図３
0003112122.tif 000002
【実用新案登録請求の範囲】
【請求項１】
布を円錐状又は角錐状に形成した胴部と、板状の布の中央部に前記胴部の上方部と同一直径の穴を形成した胸部と、首部、頭部から構成し、前記胴部の上方を、前記胸部の穴に挿入し、首部、頭部を前記胴部の上方に挿入する組立式に工夫した所を特徴とする組立式立雛作成キット。
【考案の詳細な説明】
【技術分野】
【０００１】  本考案は、立式雛人形を簡素化すると共に、組立式にし、組立、解体が容易に行える様、また、収納時コンパクトになる組立式立雛作成キットに関するものである。
【背景技術】
【０００２】  節句人形、雛人形等を個人において製作する場合、多数の工程、複雑な縫製、精細な接着が必要であった。さらに製作には時間的、労働的負担が掛かった。
【考案の開示】
【考案が解決しようとする課題】
【０００３】  節句人形、雛人形等を個人において製作する場合、ある程度の技術、知識が必要になる。さらに製作には時間的、労働的負担が掛かる。これらを簡素化し、組立式にする事により、経済的、スペース的、時間的、労働的負担の軽減になり、前述の欠点を解決しようとするものである。
【課題を解決するための手段】
【０００４】  本考案は、立式雛人形を簡素化すると共に、扇状の布を輪にし、正方形の布を被せる事で自立させ、さらに頭を取付ける組立式にし、老若男女を問わず組立、解体が容易に行える様、また、収納時コンパクトになる様工夫を施す事により問題を解決している。
【考案の効果】
【０００５】上述の様に、本考案の組立式立雛作成キットは、雛人形の組立、解体が容易に行える事は勿論、雛人形を手軽に誰もが何処にでも飾れる事ができ、しかも、収納もコンパクトになり、伝統文化に親しみ易くなる。
【考案を実施するための最良の形態】
【０００６】    布を円錐状又は角錐状に形成した胴部と、板状の布の中央部に前記胴部の上方部と同一直径の穴を形成した胸部と、首部、頭部から構成し、前記胴部の上方を、前記胸部の穴に挿入し、首部、頭部を前記胴部の上方に挿入する組立式の形態である。
【実施例】
【０００７】  以下、添付図面に従って一実施例を説明する。例えば、胴部は、扇状１の表布１ａと裏布１ｂを縫い合せ、円錐状に形成したものである。表布１ａと裏布１ｂは、適宜色を変え組み合わせ、少しずらして縫い合せる事により、裏布１ｂの色が見える様にする。裾部５を折り返す事により、より多く裏布１ｂが見える様にする。【０００８】  胸部は、正方形の布２の中央に穴２ａを開け、二つ折りにし突起部１ｃに挿入したものである。穴２ａは、例えば十字状に切り、裏側に折り返し接着する。布２を二つ折りにした際、接着部２ｂを接着剤や接着シールで適宜接着する。【０００９】  ３を首部、４は頭部とし、４に開けた穴に３を差し込む。３と４で出来た部品を突起部１ｃの穴に差し込み完成させる。この様に工程を減らし簡単に組立出来るものとした。
【図面の簡単な説明】
【００１０】
【図１】本考案の組立式立雛作成キットの胴部展開図
【図２】組立式立雛作成キットの胸部展開図
【図３】組立式立雛作成キットの実施例を示す正面図
【図４】組立式立雛作成キットの一部切欠断面図
【符号の説明】
【００１１】１    胴部
１ａ  胴部表布
１ｂ  胴部裏布
１ｃ  胴部円錐形形成時の突起部
２    胸部
２ａ  胸部中央穴
２ｂ  胸部接着部
３    首部
４    頭部
５    裾部
【図１】
0003112122.tif 000003
【図２】
0003112122.tif 000004
【図３】
0003112122.tif 000005
【図４】
0003112122.tif 000006
(57)【要約】      （修正有）【課題】マスクは一度だけの使捨てのものではなく、多回数掛け外しして使用できるようにし、携帯に便利なように掛け外ししたマスクを保管しより保健効果を上げるためのフィルターや薬香消口臭剤などをセットできる保管ケースを提供する。【解決手段】携帯により便利なポケット用を軽量軟質材を使用し、服装に抵抗ない薄型のマスクケースを製作し、また女性用のバック入れ用には軽量硬質材を使用しケースの外観も装飾する。また、マスクケースに通気材を使用した予備の袋を付け、薬香消口臭剤や予備ガーゼなどを、ケースの中にセットできる構造のものを用意する。【選択図】図１
0003112121.tif 000002
【実用新案登録請求の範囲】
【請求項１】
薬剤香料などと予備ガーゼなど入れ付きの折り込み形式箱薄形、片開き形式袋形式などの携帯及び保管用マスク入れケース。
【請求項２】
請求項１の薬香剤、予備ガーゼなど入れ蓋及び袋に針孔または通気機能をほどこした携帯及び保管用マスク入れケース。
【請求項３】
請求項１を硬質または軟質のプラスチェクや合成樹脂ビニール布などにより製作した薬香剤予備ガーゼ入れ付き携帯用マスク入れケース。
【考案の詳細な説明】
【実用新案登録請求の範囲】
【技術分野】
【０００１】  本案は、花粉症や風邪、粉塵防護に用いる布マスクなどに関する考案です。空調の整った室内やマスクを掛けていたのでは失礼に当たる接客時など、外したマスクの保管にとまどうことがあります。
そのまま折り畳んでポケットに押し込む。ビニール袋を準備して置いて、袋に入れてポケットに入れる。または机の引き出し入れる。などです。
そこで本案は、携帯に便利なポケット入れのマスク入れケースを考案し、常時ポケットに入れて置き、必要時に使用し簡単に保管できるものにしました。なお、このマスクケースに、花粉症薬や消臭剤予備のフィルターガーゼ入れなどの小物入れを装着し、いつでも清潔に使用でき保健効果が上げられようにしたものです。
【背景技術】
【０００２】  従来、布マスクは私達の身近な生活の中で多用使されています。それは手軽にできる保健の手段であるからでしょう。しかし、そのマスクの保管用具は室内保管用も女性のバック入れ保管用も、またポケット保管用ケースもありません。
これはマスクは安価なもの使い捨てのもの、の商品意識によるものでしょう。清潔が何より大切な保健用品なのに、マスクケースなるものは見当たりません。
【考案が解決しようとする課題】
【０００３】  従来の技術で述べましたが、簡易な保健方法の一つとしてマスクの使用が効果を上げていることは万人の知るところです。課題の第一は、そのマスクは一度だけの使捨てのものではなく、多回数掛け外しして使用するものであることです。
第二は、携帯に便利な掛け外ししたマスクの保管ケースが無いこと。第三は、より保健効果を上げるためのフィルターや薬香消口臭剤などをセットできる保管ケースが無いことです。
課題の目的は、簡易マスクを清潔に容易に保管でき、保健効果を上げることです。
【考案が解決するための手段】
【０００４】  第一はの課題は、マスクは多回数掛け外しして使用するも、の観点から多回数容易に使用でき、軽量で携帯の方法や保管場所に合わせた形態のケースを製作しま
第二は、携帯により便利なポケット用を軽量軟質材を使用し、服装に抵抗ない薄型のマスクケースを製作します。また女性用のバック入れ用には軽量硬質材を使用しケースの外観も装飾したものを製作します。
【０００５】  第三は、マスクケースに通気材を使用した予備の袋を付け、薬香消口臭剤や予備ガーゼなどを、ケースの中にセットできる構造のものを製作し課題を解決しています。
マスクケースの考案により、多回数いつでも清潔に容易に保管でき、必要なときにフィルターの交換ができるので健康保護効果を上げ課題を解決しています。
【考案を実施するための最良の形態】
【０００６】  考案の実施の形態を図面によりご説明します。
図１．は「ポケット用マスクケース」の説明見取り図の一例です。
（１）は、マスクケースの蝶番の部。で（２）（３）（４）の片側を蝶番または接着して、開閉が自由にできる構造になっています。
（２）は、本体の部。本体の部は保管物相当分の厚みが設けてあります。
（３）は、本体の蓋の部。蓋の一部分に（５）を入れ、（６）が装着してあります。
（４）は、マスクと予備ガーゼ入れ袋。で袋は通気材料などを使用しています。
（５）は、薬香消臭剤入れ部。
（６）は、薬香消臭剤入れ部の蓋。蓋はケース内のマスクに（５）の薬香消臭剤の自然散布の効果があげられるよう、針孔や通気機能を施してあります。
図２．は図１の（４）のマスク入れ部と予備ガーゼ入れ袋の部分説明図です。
▲１▼は．マスク入れポケット。このポケットにマスク本体を入れておきます。
▲２▼は．予備の濾過ガーゼを入れるポケット。
▲３▼は．図１（４）の袋全体。で、袋は通気と保管物の安定（滑り止め）効果があげられる針孔や通気性の材料を使用しています。
▲４▼は、仕切版。で、入れ物の仕切と図１の（１）に綴じ込む役割をします。
図３．は、簡易筒型と袋形式のマスクケースを一例とした説明見取り図です。
（１）は、筒型の差込式マスク保管ケース。
（２）は、折り蓋付きの簡易袋形式マスク保管ケース。
【考案の効果】
【０００７】本考案は上述のとおりであります。
【０００８】  マスク保管ケースの効果は、携帯が容易にでき容易に使用できる便利さです。ポケット保管用の保管ケースが考案されたことにより、雑菌の混入や汚損から隔離でき清潔効果が上げられます。
また、保管ケース内に薬香剤入れポケットを考案したことにより、薬香剤や口臭の消臭剤などがセットできるので、薬剤効果が得られ爽やかなマスク効果が上げられます。
さらに空気の汚染や粉塵などが多い場所などでは、考案の保管ケースには予備フィルター入れポケットが付いていますから、容易にフィルターを取り替えて使用することができ、職場にスポーツに老若男女子どもにもと用途範囲を拡大することが期待できます。
マスク保管ケースの考案は、清潔なマスク使用の必需品として構造上からも機能上からも大きな効果をあげています。
【図面の簡単な説明】
【０００９】
【図１】は「ポケット用マスクケース」の説明見取り図の一例です。
【図２】は図１の（４）のマスク入れ部と予備ガーゼ入れ袋の部分説明図です。
【図３】は簡易筒型と袋形式のマスクケースを一例とした説明見取り図です。
【符号の説明】
図１  （１）は、マスクケースの蝶番の部。
（２）は、本体の部。
（３）は、本体の蓋の部。
（４）は、マスクと予備ガーゼ入れ袋。
（５）は、薬香消臭剤入れ部。
（６）は、薬香消臭剤入れ部の蓋。
図２  ▲１▼マスク入れポケット。
▲２▼予備ガーゼ入れポケット。
▲３▼第１図の（４）の袋全体。
▲４▼仕切板。
図３  （１）は、筒型の差込式マスクケース。
（２）は、折り蓋付き簡易袋形式マスクケース。
【図１】
0003112121.tif 000003
【図２】
0003112121.tif 000004
【図３】
0003112121.tif 000005
(57)【要約】      （修正有）【課題】カドを削って新品同様の消し味を作ることができる便利な、ナイフを付けた消しゴムを提供する。【解決手段】プラスチックケ−ス２にナイフ３を差し込み、これを棒状の消しゴム１に差し込んだことを特徴とする。【選択図】図１
0003112158.tif 000002
【実用新案登録請求の範囲】
【請求項１】
消しゴムのはしに取りはずしのできるナイフを取り付けた、ナイフを付けた消しゴム
【考案の詳細な説明】
【技術分野】
【０００１】  この考案は、消しゴムのはしに取りはずしのできるナイフを設けた、ナイフを付けた消しゴムに関するものである。
【背景技術】
【０００２】  従来、消しゴムとナイフは、別々になっていた。
【考案の開示】
【考案が解決しようとする課題】
【０００３】  これは次のような問題点があった。
▲１▼必要な時に、ナイフが見つからず、不便な場合が多かった。（消しゴムをナイフで切ってカドを作る時）
▲２▼長方形の消しゴムは、新品の時にカドは８箇所しかない。（もっと沢山のカドが欲しいという要望が強い）
▲３▼長方形の消しゴムのカドが消しているうちに丸くなり、１文字を消す時などまわりの文字も一緒に消してしまう事がよくあった。
本考案は、以上のような欠点をなくすためになされたものである。
【課題を解決するための手段】
【０００４】  消しゴムのはしに、取りはずしのできるナイフを取り付ける。
以上の構成よりなるナイフを付けた消しゴムである。
【考案の効果】
【０００５】▲１▼ナイフが消しゴムと一体になっているのでナイフが必要になった場合でも、探す手間が省ける。
▲２▼消しゴムのカドが消しているうちに丸くなったり、黒く汚れたりしたら、消しゴムに付いたナイフで消しゴムの先を切ることで、何度でも新品同様の消し味で使える（カドの部分で消し続ける事が出来る）ようになる。
【考案を実施するための最良の形態】
【０００６】  以下、本考案の実施例について説明する。
〈実施例１〉ナイフを付けた消しゴム
消しゴム（１）のはしに、プラスチックケ−ス（２）を差し込む。
プラスチックケ−ス（２）にナイフ（３）を差し込む。
本考案は、以上のような構造でこれを使用するときは、消しゴムを切る時はナイフをを抜いて消しゴムを切り、使用後はナイフをプラスチックケ−スにナイフを差し込んでおけばいい。
〈実施例２〉ナイフを付けたノック式消しゴム
ノック式消しゴムの本体（４）に、キャップ（５）を差し込む。
キャップ（５）にナイフ（３）を差し込む。
※ナイフは、差し込み式、またはネジ込み式（雄ネジ）のどちらでもよい。
※ナイフは、鎖か、紐で消しゴムに取り付けてもよい。（ナイフは折りたたみ式ナイフ、またはカッタ−ナイフを使用）
〈実施例１〉ナイフを付けた消しゴムの場合は、プラスチックケ−ス（２）に鎖か、紐でナイフを取り付ける。
〈実施例２〉ナイフを付けたノック式消しゴムの場合は、キャップ（５）に鎖か、紐でナイフを取り付ける。
※消しゴムの形は棒状で、消しゴムをナイフで切った断面の形は、正方形である。（長方形でもよい）
※棒状の消しゴムとナイフを入れる専用のケ−スを製造してもよい。
【図面の簡単な説明】
【０００７】
【図１】本考案の斜視図である。〈実施例１〉
【図２】本考案の断面図である。〈実施例１〉
【図３】本考案の側面図である。〈実施例２〉
【図４】本考案の正面図である。〈実施例２〉
【符号の説明】
【０００８】１  消しゴム
２  プラスチックケ−ス
３  ナイフ
４  ノック式消しゴムの本体
５  キャップ
【図１】
0003112158.tif 000003
【図２】
0003112158.tif 000004
【図３】
0003112158.tif 000005
【図４】
0003112158.tif 000006
(57)【要約】      （修正有）【課題】構造が簡単で且つ操作の容易な電球交換器具を提供する。【解決手段】電球把持部２は適度の弾力により電球１を保持するよう作られ、電球１の着脱は、引き押し操作により容易にできる。小出力の直流モーター６は一分間の回転数は約３０００回転乃至５０００回転のものを使用するのが普通である。減速部４をモーター６に接続する、減速部軸５は所定の低速回転数にて回転するよう減速比が設定されている。減速部軸５は基台３の中央に設けられた孔に嵌め入れられ固定される。操作桿９の下端は握持部１１になっていてモーター６を操作するための操作スイッチ１０が取り付けられている、操作スイッチ１０の押しボタンを押すことによりモーター６は正転、逆転、停止するようになされている。【選択図】図１
0003112159.tif 000002
【実用新案登録請求の範囲】
【請求項１】
操作桿の上端に減速部を装着したモーターを設け、電球把持部の底面に取り付けられた基台の中心に減速部軸を結合して、電球把持部を低速回転させることを特徴とする電球交換器具。
【請求項２】
請求項１記載の電球交換器具において、操作桿の上端とモーターとを、連結部にて、傾斜調整可能にした事を特徴とする電球交換器具。
【考案の詳細な説明】
【技術分野】
【０００１】  本考案は、街路灯、天井灯等の電球交換器具に関するものである。
【背景技術】
【０００２】  従来、高所に取り付けられたる照明器具の電球を交換するための器具として、操作桿の先端に電球を吸着、離脱する吸盤を取り付けた電球交換器具がある、又操作桿の先端に、開閉自在の電球把持部を取り付けた電球交換器具がある。
【特許文献】特開平７−１４５５９  特開平８−７８５１  特開平１０−２７５８３  特開２００４−１１１２２２
【考案の開示】
【考案が解決しようとする課題】
【０００３】  従来考え出された電球交換器具としては、電球把持部に色々な特色があるが、それを操作桿の先端に取り付けた構成は全て同じものである、この方式は簡単に安価に製作できる利点を有するが、手で操作桿を回転させるのは、簡単と思えるが、実際上では高所の電球取換えであるため簡単でなく誰でも容易に電球の取換えができない欠点があった。
【課題を解決するための手段】
【０００４】  本案は、上記問題点を解決するためになされたものであって、電球把持部を、低速にて回転する小形モーターにて回転させることにより、電球の交換を容易にしたものである。
電球交換の際の電球回転速度は極めて低速なるため、モーターの回転速度を大幅に減速させる事になる、この事によりモーターは小出力のものにても可能となる。
モーターを小出力にすれば、軽量になるため、電球取換え操作も容易になる、又モーターは正転、逆転が容易なるため、電球の着脱は勿論容易にできる。
【考案の効果】
【０００５】  本考案によれば次のような効果が得られる、街路灯は高所に取り付けられているため、電球の取換えは、危険性があり、誰でもできるものでなかった、又電力会社の所有する電柱に取り付けられた街路灯は、一般人の取換え作業を禁止している、このため電球が断芯すると一個の電球取換えについて、多数の人間の手間を要し、経済的、時間的に大きな無駄な事をしていたが、本案器具を使用すれば地上より操作するため、電力技術者でなくとも電球の取換えができ、手続きの面倒から解放されると共に、迅速に取換えができ効果は大きい。
本案は、モーター駆動により電球を、抜き差しするため、女性にても容易に操作ができ又電球取換え中に、電球を取り落とし破損させる事も防止できる利点もある。
【考案を実施するための最良の形態】
【０００６】  直流３ボルト用程度の小形モーターに回転比５０対１乃至１００対１程度の減速歯車を取り付ける事により軸トルクを強大にし、この軸に弾性物質にて作製した電球把持部を固着して低速回転させる。
街路灯は地上より通常４ｍ以上の高所に取り付けられているため、その高さの電球取換えが可能でなければならない、そのため所要の長さの操作桿の先端に上記モーターを取り付けるのであるが、街路灯は垂直に向いたものもあり、斜めに向けられたものもあるためモーターの取り付け部は角度調整が可能なるよう方式になされている。
電球取換えの際、操作桿の下部の握持部を握って取換え作業をするため、その握る位置の近くにモーターの操作スイッチを設ける、モーターは乾電池にて駆動させるため、乾電池収納場所を操作桿の下端に設ける。
操作桿は一定の長さ、にても良いが、長さを調節し得るようにすれば、使い易いものになるは勿論である。
【実施例】
【０００７】  以下本考案を図面に基づき詳細に説明する、図１は本案の電球交換器具の一部欠截断面の側面図にして、１は電球である、２は電球１を把み保持する把持部であって、弾力性物質のゴム系、或いはビニール系の材質にて作られており底面には基台３が固着されている。
電球把持部２は適度の弾力により電球１を保持するよう作られているため、電球１の着脱は、引き押し操作により容易にできる。
６は小出力の直流モーターであって、一分間の回転数は約３０００回転乃至５０００回転のものを使用するのが普通であるが、回転数は限定されたものでなく、どのような回転のモーターにても使用し得る事は勿論である。
電球把持部２の回転数は１秒間に１回乃至２回程度とすれば、モーター６の回転を大幅に低速化しなければならない、このため減速部４をモーター６に接続する、５は減速部軸であって所定の低速回転数にて回転するよう減速比が設定されている。
減速部軸５は基台３の中央に設けられた孔に嵌め入れられ固定される。、【０００８】  ９は操作桿であって、下端は握持部１１になっている、この握持部１１にはモーター６を操作するための操作スイッチ１０が取り付けられている、操作スイッチ１０の押しボタンを押すことによりモーター６は正転、逆転、停止するようになされている、このため電球１の取り付け、取り外しが容易にできる。
握持部１１の下端内部に、モーター６を駆動する電源の電池を収納するが、その説明図は省略する。【０００９】  ７はモーター６と操作桿９を接続するための連結部であって、街路灯又は天井灯の取り付け角度に適合した角度に調整できるようなされている、８は締め付け用の蝶ネジである
従来の電球取換器は手で回転させて居たため操作が困難であり、誰にても容易にできるものでなかった、しかし本案は電動方式なるため誰にても容易に操作ができ、専門家を必要としない便利な電球取換器である。
本考案は、このような実施例に何等限定されるものでなく、本考案の要旨を逸脱しない範囲において種々なる態様にて実施し得るは勿論である。
【産業上の利用可能性】
【００１０】  本考案の応用として、パフを回転させれば、高所の清掃用具としても使用可能である、このように清掃用具としての場合はモーター出力を大にし、商用電力を使用するものになる。
【図面の簡単な説明】
【００１１】  図１は、本考案の電球交換器具の一部欠截断面の側面図である。
【符号の説明】
【００１２】  １    電球
２    電球把持部
３    基台
４    減速部
５    減速部軸
６    モーター
７    連結部
８    蝶ネジ
９    操作桿
１０  操作スイッチ
１１  握持部
【図１】
0003112159.tif 000003
(57)【要約】      （修正有）【課題】取り外しが容易であり、撤去後に張り跡が残らず、美観を損ねる事がなく、通行人にケガをさせる事が無く、通行人や車両の視野を妨げる事が無く、事故を未然に防止できる電柱広告取付器具を提供する。【解決手段】２枚のビニール樹脂本体の端を接着させ袋形態にして、そこに広告情報や案内情報の資料を差し込む。本体に接着されている取付バンド（材質はビニール樹脂）とバンド留め具によって電柱に巻き付けるように固定する。【選択図】図３
0003112152.tif 000002
【実用新案登録請求の範囲】
【請求項１】
電柱に広告物を入れたケースを巻き付ける形態にて取付及び取り外しが容易であり通行人や車両に安全で短期間の広告に有効な電柱広告取付器具
【考案の詳細な説明】
【技術分野】
【０００１】この考案は広告情報や案内情報を電柱に設置する広告案内器具です。
【背景技術】
【０００２】従来の電柱広告は広告物（広告、ポスター等）の取付は糊張りや木枠を利用して広告物を針金で取付をしていた。
【考案の開示】
【考案が解決しようとする課題】
【０００３】従来の電柱広告で広告物の取付を糊張りにした場合は広告物の安易に撤去ができず撤去後に張り後が残り、美観を損ねている。従来の電柱広告で広告物の取付を木枠を利用した広告物を針金で取付した物は、針金が通行人にケガをさせ、広告物が電柱の幅より広がる事で通行人や車両の視野を妨げ、事故を誘発する原因となり、社会問題となった。
【考案が解決するための手段】
【０００４】考案の取付器具は材質を透明ビニール樹脂で形成して、電柱に取付る事で通行人や車両の安全確保をできる。
【考案の効果】
【０００５】考案の取付器具を利用した場合は広告物は、取り外しが容易であり、撤去後に張り後が残らず、美観を損ねる事がない。通行人にケガをさせる事が無く、通行人や車両の視野を妨げる事が無く、事故を未然に防止できる。短期間の広告に有効な電柱広告取付器具です。
【考案を実施するための最良の形態】
【０００６】２枚のビニール樹脂本体の端を接着させ袋形態にして、そこに広告情報や案内情報の資料を差し込む。本体に接着されている取付バンド（材質はビニール樹脂）とバンド留め具によって電柱に巻き付けるように固定する。
【実施例】
【０００７】考案の取付器具は電柱の取付方法を取付バンドと留め具を使用する為に外周サイズの異なった電柱にも取付が可能である。【０００８】本体や取付バンドがやわらかいので、取付状態も電柱に密着して巻き付くので通行人や車両の視野を妨げる事がなく事故を防げる【０００９】本体や取付バンドがやわらかく、針金を利用していないので通行人にケガをさせない。【００１０】広告情報や案内情報の入れ替えが容易にあり、迅速に情報提供が可能になります。【００１１】フード部分があるので、雨の侵入を防ぎ、水抜き穴もあり中の広告情報や案内情報を汚さない。【００１２】表面部分にポケットがあり、掲示許可書等を入れられる。
【産業上の利用可能性】
【００１３】考案の取付ケースは広告情報や案内情報を提供する安全な広告案内器具であり、案内情報手段として有効である。更に道路工事の案内に容易に迅速に利用もでき通行人や車両の安全確保にも有効である。
【図面の簡単な説明】
【００１４】
【図１】構造説明の説明
【図２】ケースの広告情報や案内情報の使用方法の説明
【図３】ケースの電柱取付方法（前方向）
【図４】ケースの電柱取付方法（後方向）
【符号の説明】
【００１５】▲１▼ケースの本体部分
▲２▼ケース本体部分のポケット
▲３▼取付バンド
▲４▼水抜き穴
▲５▼接着部分
▲６▼広告物
▲７▼電柱使用許可書
▲８▼フード部分
▲９▼バンド留め部品
【図１】
0003112152.tif 000003
【図２】
0003112152.tif 000004
【図３】
0003112152.tif 000005
【図４】
0003112152.tif 000006
(57)【要約】      （修正有）【課題】物干し竿に山切りカットを設け洗濯物をハンガーで吊るす際、風で洗濯物が飛ぶのを防止をする。【解決手段】物干し竿本体１に山切りカット２を設けその山切りカット部分２に洗濯物をハンガーで吊るすことにより突風が吹いても山切りカット部分２が溝になっているため風で飛ばされることなく突風防止に役立つ。【選択図】図１
0003112156.tif 000002
【実用新案登録請求の範囲】
【請求項１】
物干し竿本体に山切りカットを設けた洗濯物をハンガーで吊るす為の溝があるところを特徴とする突風防止付物干し竿。
【考案の詳細な説明】
【技術分野】
【０００１】  本考案は、物干し竿に山切りカットを設けた物干し竿に関するものである。
［背景技術］【０００２】  従来では物干し竿に洗濯物をハンガーで吊るして干していたが風で飛ばされていた。
［考案の開示］
［考案が解決しようとす課題］【０００３】  洗濯物を、ハンガーで吊るして乾かしている最中に風で飛ばされることなく前述の欠点を解決しようとするものである。
［課題を解決するための手段］【０００４】  本考案は、物干し竿本体に山切りカットを設けその山切りカット部分が溝になっているので、その部分にハンガーを掛けることにより突風が吹いても溝より向こう側に動くことがないので問題点を解決している。
［考案の効果］【０００５】  上述の様に、本考案の突風防止付物干し竿は山切りカットを設けているので洗濯物が飛ばされることなく、また地面に落ちることがないので洗濯の二度手間にも役立つ。
［考案の実施するための最良の形態］【０００６】  物干し竿本体に、山切りカット部分を複数設けることにより多くの洗濯物が飛ばされる心配がなくなる。
［実施例］【０００７】  以下、添付図面に従って一実施例を説明する。１は耐久性のアルミ等適宣素材にて物干し竿本体２は山切りカット部分である。
【図面の簡単な説明】
【０００８】［図１］本考案の突風防止付物干し竿の一実施例を示す横図面である。
【符号の説明】
【０００９】１  物干し竿本体
２  山切りカット部分
【図１】
0003112156.tif 000003
(57)【要約】      （修正有）【課題】指先に使用した救急絆創膏やテーピングテープの外側表面が、滑って伝票整理等の作業が行いづらい不都合の解消等。【解決手段】伝票整理等の作業を行う際に滑らないようにするための、グリップＧが救急絆創膏Ａの外側表面に備えられる。【選択図】図１
0003112157.tif 000002
【実用新案登録請求の範囲】
【請求項１】
伝票整理等の作業を行う際に滑らないようにするための、グリップが救急絆創膏の外側表面に備えられた、グリップ付き救急絆創膏。
【請求項２】
伝票整理等の作業を行う際に滑らないようにするための、グリップが救急絆創膏型テープの外側表面に備えられた、グリップ付き救急絆創膏型テープ。
【考案の詳細な説明】
【技術分野】
【０００１】  請求項１の考案は救急絆創膏に関するもの、また請求項２の考案は救急絆創膏型テープに関するものであるが、いずれも、それらの外側表面の素材に工夫を加えることで、新たな機能を付与したものである。
［背景技術］【０００２】  従来の救急絆創膏やテーピングテープでは、その外側表面が滑りやすく、かつ使用部分の感覚が鈍くなる場合がある。
［考案の開示］
［考案が解決しようとする課題］【０００３】  しかし、これでは指先に使用した際に伝票整理等の作業を行いづらい。
［課題を解決するための手段］【０００４】  そこで、伝票整理等の作業を行う際に滑らないようにするための、グリップが外側表面に備えられた、グリップ付き救急絆創膏（図１）、及びグリップ付き救急絆創膏型テープ（図２）を考案した。これらは外側表面が滑らないため、指先に使用しても容易に伝票等を扱えるのである。
［考案の効果］【０００５】  よって、本考案のグリップ付き救急絆創膏、及びグリップ付き救急絆創膏型テープにより、指先に使用しても、滑って伝票整理等の作業が行いづらくなることはなくなる。
［考案を実施するための最良の形態］【０００６】  本考案のグリップ付き救急絆創膏、及びグリップ付き救急絆創膏型テープは、伝票整理等の作業を行う際に滑らないようにするための、グリップが外側表面に備えられている。これらの外側表面の素材は、全体を薄い天然ゴム等で形成することが望ましい。また、請求項１のグリップ付き救急絆創膏の内側表面のガーゼ部分は、弱粘テープ等で取り外し可能にすることで、請求項２のグリップ付き救急絆創膏型テープとしても使用できることが望ましい。
【図面の簡単な説明】
【０００７】［図１］
本考案のグリップ付き救急絆創膏の、外側表面の平面図である。
［図２］
本考案のグリップ付き救急絆創膏型テープの、外側表面の平面図である。
【符号の説明】
【０００８】Ｇ        外側表面のグリップ
Ａ        救急絆創膏
Ｐ        内側表面のガーゼ部分
【図１】
0003112157.tif 000003
【図２】
0003112157.tif 000004
(57)【要約】      （修正有）【課題】洗濯物をハンガーに掛ける時、滑り止めに洗濯バサミを持ってくる煩わしさをなくす。【解決手段】ハンガー１の首の部分にリング２を通して取り付ける。接続帯３の本数は複数本とし使途に応じて増減できる。ハンガー１に取りはずしができるハンガー用洗濯バサミ５を付けることにより、ハンガー１の用途が広がると共に便利さも増す。ハンガー１に吊した滑りやすい布地の服もこの洗濯バサミで止めることができる。また、洗濯物をハンガー１に吊って干す場合風により吹き飛ばされることを防ぐことができる。ハンガー用洗濯バサミが不用な時は取りはずしできる。また、接続帯３と洗濯バサミ５の間に例えばなす環のようなものを接続部具４として用いれば、洗濯バサミ５が壊れた場合にも簡単に取り替えることができる。【選択図】図１
0003112155.tif 000002
【実用新案登録請求の範囲】
【請求項１】
ハンガーの首に通せる直径適宜のリングに、適宜の長さの複数の接続帯を付け、接続帯の先に洗濯バサミを取り付けたハンガー用洗濯バサミ。
【請求項２】
洗濯バサミは、請求項１記載の接続帯に接続部具を介して取り付ける構造としたハンガー用洗濯バサミ。
【考案の詳細な説明】
【技術分野】
【０００１】  本考案は、従来のハンガーに洗濯バサミを自由に取り付け取りはずしができるように工夫したものである。
［背景技術］【０００２】  従来の洗濯バサミは、ハンガーとは独立したものか、または固定式のものであった。
［考案が解決しようとする課題］【０００３】  従来の物は、ハンガーとは別々に取り扱うものであったために、ハンガーに服を掛けたり、また、洗濯物をハンガーに掛けたりする時、滑り止めに洗濯バサミをいちいち持って来なければならず面倒で二度手間になり、煩わしかった。
本考案は、これらの欠点をなくすためになされたものである。
［課題を解決するための手段］【０００４】  上記課題を解決するために、図２において、直径１センチ程度のリング２に、適宜の長さの接続帯３を取り付け、接続帯３の先に洗濯バサミ５を取り付ける。【０００５】  ハンガー用洗濯バサミを、さらに便利なものにするために、接続帯３と洗濯バサミ５との間になす環のような接続部具４を取り付け、洗濯バサミ５と接続部具４とを接続するようにすると、洗濯バサミ５の取替ができるようになる。（図３参照）
上記２タイプいずれも、ハンガー１の首の部分にリング２を通して取り付けるものとする。いずれも、接続帯３の本数は複数本とし使途に応じて増減できる。（図１参照）【０００６】  ハンガー１に取りはずしができる洗濯バサミ５を付けることにより、ハンガー１の用途が広がると共に便利さも増す。ハンガー１に吊した滑りやすい布地の服もこの洗濯バサミ５で止めることができる。また、洗濯物をハンガー１に吊って干す場合風により吹き飛ばされることを防ぐことができる。ハンガー用洗濯バサミが不用な時は取りはずしできる。また、接続帯３と洗濯バサミ５の間に例えばなす環のようなものを接続部具４として用いれば、洗濯バサミ５が壊れた場合にも簡単に取り替えることができる。
［実施例］【０００７】  以下、本考案の実施例を図面に基づき説明すれば、図２及び図３において、直径１センチ程度のリング２に、長さ１０センチ程度の接続帯３を付け、接続帯３の先に洗濯バサミ５を取り付ける。さらに、便利なハンガー用洗濯バサミにするために、接続部具４を接続帯３と洗濯バサミ５との間に取り付け、接続部具４に洗濯バサミ５を取り付けてもよい。接続部具４は、洗濯バサミ５が取りはずしできるようにするため例えばなす環のようなものを用いる。また、接続帯３の材質は、鎖・ナイロン・布紐・プラスチックなど考えられるが、扱いやすい点では鎖が最適である。また、接続帯３の本数は複数本とし、使途に応じて増減できる。図では、接続帯３を２本にした場合のものを記してある。
【図面の簡単な説明】
【０００８】［図１］ハンガーに洗濯バサミを取り付けた図
［図２］ハンガー用洗濯バサミ接続部具なしの図
［図３］ハンガー用洗濯バサミ接続部具使用時の図
【符号の説明】
【０００９】１ハンガー本体
２リング
３接続帯
４接続部具
５洗濯バサミ
【図１】
0003112155.tif 000003
【図２】
0003112155.tif 000004
【図３】
0003112155.tif 000005
(57)【要約】      （修正有）【課題】自転車籠の上部の一部をふたなしとして、開口部を設けることにより小さなバッグや本のような物なら、ふたの開閉が不要であり面倒くささがなくなる。また、ふたを斜めに取りつけることにより、水平の力を生み出せるため挟む力が生まれると共に、ふたの高さを低く保てて走行時の視界前方の煩わしさをなくす。【解決手段】籠前面８の上部半分位とそれに合わせて籠側面７を、角度３０度〜６０度位で斜めに切り取り、その部分にふた２と、ふたを開閉する支点金具６及びバネ４を取りつけた。ふた２には自転車本体１１側に開口部３を設けた。なお、バネの引っ張り限界点を定めるために、ふた２と籠１とを繋ぐア−ム５を取りつけてもよい。バネ取り付け金具９とア−ムの取り付け金具１０は、共用にしてもよい。【選択図】図２
0003112154.tif 000002
【実用新案登録請求の範囲】
【請求項１】
自転車の前籠であり、籠本体１の上部ふた２は、前方に向け斜めに取り付け、バネ４を用いて可動式のものとし、ふた２は上部全面ではなく、籠１の自転車本体１１側に開口部３が形成された可動式ふたつき自転車籠。
【請求項２】
請求項１記載の可動式ふたつき自転車籠は、バネ４の引っ張り限界点決定のため、ふた２と籠側面７とを結ぶようにア−ム５が取り付けられた可動式ふたつき自転車籠。
【考案の詳細な説明】
【技術分野】
【０００１】  本考案は、自転車籠に、ひったくり・落下防止用に可動式のふたのついた自転車の籠に関するものである。
［背景技術］【０００２】  従来の籠は、全面水平にふたをするバネのついた物であった。
［考案が解決しようとする課題］【０００３】  従来の籠には、次のような欠点があった。投入口全面にふたがされているため、小さな荷物を入れる場合にも、一度ふたを開かなければならず煩わしさがあった。また、ふたを開いた状態で走行する場合、視界の邪魔になった。そして、ふたが上方からされるため抑える力が中心で、挟む力が弱かった。
本考案は、これらの欠点をなくすためになされたものである。
［課題を解決するための手段］【０００４】  上記課題を解決するために、図２において、かご前面８の上部半分位とそれに合わせて側面７を、角度３０度〜６０度位で斜めに切り取り、その部分に前方斜めに向けて、ふた２を取り付け、かつこのふた２の自転車本体１１側に開口部３を形成する。この開口部３は、手を出し入れできる程度の大きさとする。ふた２の前部にふた２を開閉する支点金具６及びバネ４を取り付けた。なお、バネの引っ張り限界点を定めるために、ふた２と籠１とを繋ぐア−ム５を取り付けてもよい。バネ４の取り付け金具９とア−ム５の取り付け金具１０は、共用にして使用しどちらかを省いてもよい。本案は以上のような構成である。
［考案の効果］【０００５】  籠の上部の一部をふたなしとして、開口部３を設けることにより小さなバッグや本のような物なら、ふたの開閉が不要であり面倒くささがなくなる。また、ふたを斜めに取りつけることにより、水平の力を生み出せるため挟む力が生まれると共に、ふたの高さを低く保てて走行時の視界前方の煩わしさがなくなる。さらに、ふたにバネを取り付け可動式にするため、ふたは荷物の大きさに応じて自由な位置で止まることになる。またア−ムを取り付けることにより、バネの引っ張り限界点を決定することができる。
［実施例］【０００６】  以下、本考案の実施例を図面に基づき説明すれば、図１・図２・図３において、１は籠。２はふたで、２のふたには、バネ取り付け金具９とア−ム取り付け金具１０を有する。ふた２については、自転車本体１１側に手を出し入れできる程度の開口部３を設けそこより前方斜めに向けて、ふた２を取り付ける。
籠本体１にも同様にバネ取り付け金具９、ア−ム取り付け金具１０を有する。籠本体１と、ふた２とは、支点金具６により接続されている。ふた２の開閉はバネ４により調節され、ふた２の開く限界点はア−ム５により決定される。【０００７】  材質は籠本体、部品共に金属が望ましい。また、支点金具・バネ取り付け金具・ア−ム取り付け金具の形状は、３つとも円環である。
部品についての詳細は、支点６はふた２と籠前面８に取り付けた双方の円環を噛み合わせて結合したもの、バネの取り付けは、バネ取り付け金具９をふたの先端左右と籠側面７の上部に設けバネと接続したもの、ア−ムの取り付けも同様にする。バネ取り付け金具９とア−ム取り付け金具１０とは、場合によっては共用としてもよい。
【図面の簡単な説明】
【０００８】［図１］自転車本体と可動式ふたつき自転車籠の関係図
［図２］可動式ふたつき自転車籠の閉時斜視図
［図３］可動式ふたつき自転車籠の開時斜視図
［図４］取り付け金具とア−ム及びバネの関係図
（ａ）支点金具の取り付け図
（ｂ）バネとバネ取り付け金具との関係図
（ｃ）ア−ムとア−ム取り付け金具との関係図
【符号の説明】
【０００９】  １籠本体
２ふた
３開口部
４バネ
５ア−ム
６支点金具
７籠側面
８籠前面
９バネ取り付け金具
１０ア−ム取り付け金具
１１自転車本体
【図１】
0003112154.tif 000003
【図２】
0003112154.tif 000004
【図３】
0003112154.tif 000005
【図４】
0003112154.tif 000006
(57)【要約】      （修正有）【課題】小型化された音楽端末や携帯電話端末に使用するヘッドホンの長いコードの始末を気にせず使用できるストラップを提供する。【解決手段】音楽端末や携帯電話端末に使用するストラップに溝を取り付け、ヘッドホンコードを固定・一体化する構造を設ける。【選択図】図１
0003112198.tif 000002
【実用新案登録請求の範囲】
【請求項１】
音楽端末や携帯電話端末のためのストラップにヘッドホンコードを挟む溝を有し、この溝にヘッドホンコードを挟み込む事でヘッドホンコードとストラップとを一体化・固定する事が可能な固定手段を有することを特徴とするストラップ
【考案の詳細な説明】
【技術分野】
【０００１】
本考案は、音楽端末や携帯電話端末のためのストラップとヘッドホンに関するものである。
【背景技術】
【０００２】
本考案では既に利用されている音楽端末や携帯電話端末のためのストラップとヘッドホンを一体化し、ヘッドホンコードが邪魔にならぬよう装着する事を目指している。
【０００３】
ストラップとヘッドホンは別々の製品である。それぞれが端末に合わせて、あるいは端末とは独立した個別の製品として数多く存在する。
【０００４】
また昨今のメモリーカードや小型HDD搭載の音楽用携帯端末の出現で文字通り手軽に携帯する事が可能となり、加えて携帯電話の機能の一つとして音楽用携帯端末同様の音楽プレイヤー機能が充実しつつある。
【考案の開示】
【考案が解決しようとする課題】
【０００５】
音楽端末や携帯電話端末などの小型化により、首に吊るす形で携帯する事が多い。しかしヘッドホンは従来の物と大差無いものが多く、特に長いコードの取り扱いに問題が残る。本考案は、これを解決するためヘッドホンと一体化を可能にするストラップを提供する。
【課題を解決するための手段】
【０００６】
ストラップ（図１-b、図２-b、図３-b）に硬めで柔軟性を持つ樹脂などで任意の大きさの溝（図２-ｄ）を設け（図１のA-BからC-Dまで）、この溝にヘッドホンコード（図１aa、図３-aa）を挟み（図３）ストラップと固定することで、ヘッドホンと一体化する。
【考案の効果】
【０００７】
小型化された音楽端末や携帯電話端末に必需品であるストラップを装着するだけで、余分なコード類を気に留めることなくヘッドホンを装着できる。
【実施例１】
【０００８】
図１では端末から首の付近までが一本の太目のコードであるが、ストラップ取り付け部から左右別々にする事も考えられる。また、ヘッドホン本体部（図１-a）を固定するための小型のマジックテープを、ストラップの首部分や上部へ取り付けることも有効と思われる。
【図面の簡単な説明】
【０００９】
【図１】端末（c）とストラップ（b）、ヘッドホン（a、aa）の構成を示す
【図２】ストラップに設ける溝の断面を示す（図１のA-B、C-Dまでの断面）
【図３】図２においてストラップに設けた溝にヘッドホンコード（図１aa、図３-aa）を挟んだ状態を示す
【図１】
0003112198.tif 000003
【図２】
0003112198.tif 000004
【図３】
0003112198.tif 000005
(57)【要約】【課題】金属の溶湯を外気に接触させることなく注入することができる金属の溶湯の試料採取容器を提供すること。【解決手段】本体１２の中空の試料室１４を設け、本体の底壁１６に設けた開口２２より試料室１４の頂部に至る通路２６を設け、試料室１４の頂部から本体１２の最頂端に至る排気通路３０を設けて成る。【選択図】    図１
0003112178.tif 000002
【実用新案登録請求の範囲】
【請求項１】
セラミック製の円筒形の本体の下部に中空の試料室を底壁、周壁および頂壁によって囲繞するように形成したことと、前記底壁の下面に第一の開口を設け、前記開口から前記周壁の内部を上方に伸長し、前記試料室の頂壁に設けた第二の開口を経て前記試料室の頂部に至る通路を設けたことと、前記頂壁に第三の開口を設け、前記本体の最頂端に第四の開口を設け、前記第三の開口と第四の開口とを排気通路によって連絡したことと、前記試料室の内部中央に温度センサを突出させ、前記温度センサを外部の温度測定装置に接続するコネクタを前記本体の上部に設けた円筒状の第五の開口に突出させたことから成る金属の溶湯の熱分析用試料採取容器。
【請求項２】
前記第五の開口に前記本体を支持するロッドを装着するようにした請求項１に記載の金属の溶湯の熱分析用試料採取容器。
【考案の詳細な説明】
【技術分野】
【０００１】  この考案は金属の溶湯の熱分析用試料採取容器、より詳しく述べると鋳鉄、鋼鉄あるいは軽合金等の溶湯の熱冷却曲線を検出して、鋳物を鋳造する前に、その溶湯の組織を、炉前において調べるための金属の溶湯の熱分析用試料採取容器に関する。
【背景技術】
【０００２】  鋳鉄やアルミニウムその他の金属の合金の鋳物を鋳造するために、これら金属の溶湯の組織を炉前で調べるには、通常、金属の溶湯を温度センサー、たとえば熱電対を具備する熱分析用の試料採取容器に注入して、その容器内の溶湯が冷却してゆく温度を温度測定装置によって検出する。【０００３】  通常、測定しようとする高温度の金属の溶湯は、溶鉱炉から取鍋、あるいは柄杓、その他を使用して、耐熱材、例えばセラミックス等で構成した試料採取容器に注入する。
【特許文献１】特開平７−１５１７１６号公報  実開平４−１８３６０号公報  実開昭６３−１５７６６３号公報
【考案の開示】
【考案が解決しようとする課題】
【０００４】  前述したようにして、金属の溶湯を取鍋や柄杓等用いて、間接的に試料採取容器に注入すると、溶鉱炉から取り出した少なくとも５００℃以上の高温度の溶湯が、周囲の温度の影響を受けて、急激に低下するというおそれがあって、正しい冷却曲線を取得することができないという問題が生ずる。【０００５】  このような問題点を考慮して、試料採取容器に注入する溶湯を、外気に接触することなく、その容器内を採取した溶湯によって充満することができるようにすることを課題とするものである。
【課題を解決するための手段】
【０００６】  これらの課題を解決するための手段として、この考案の金属の溶湯の熱分析用試料採取容器は、その全体を細長い円筒形とするものであって、例えば、溶鉱炉によって融解され、保存炉に貯蔵されている金属の溶湯を上方から挿入して、その溶湯を外気に触れることなく、前記細長い円筒形の試料採取容器から容器内に流入することができるようにした金属の溶湯の熱分析用試料採取容器を提供することにある。【０００７】  この考案によれば、細長い円筒形の試料採取容器の最下端の底部から、その冷却してゆく温度を測定しようとする溶湯が流入する第一の開口を設け、この試料採取容器の試料室内に流入するように構成し、試料採取容器内に存在する空気を容器の下方から流入される溶湯とは接触することなく、試料採取容器から排出することができるように構成してある。
【考案の効果】
【０００８】  この考案の金属の溶湯の熱分析用試料採取容器は、冷却温度を測定しようとする金属の溶湯を、試料採取容器に充満させる過程において、採取される金属の溶湯を周囲の外気および容器内の空気と接触することなく、熱分析用試料採取容器に採取した溶湯の温度に何らの影響をも及ぼすことがないようにしたことを、もっとも主要な効果とするものである。
【考案を実施するための最良の形態】
【０００９】  この考案の好ましい実施態様を添付図面について詳細に説明する。図１に示すように、この考案の金属の溶湯の熱分析用試料採取容器１０は、熱絶縁体、例えばセラミックで製造した細長い円筒形の本体１２から成っていて、その本体１２の下部に中空の細長い試料室１４が構成してあって、底壁１６，周壁１８，１９および頂壁２０で取り囲むようにしてある。【００１０】  底壁１６の下面に試料室１４と一方の周壁１９を隔てて、底壁１６の下端に第一の開口２２が設けてあって、この第一の開口２２から試料室１４の頂壁２０を経て、試料室１４の上部に開口する第二の開口２４を有する溶湯の通路２６が設けてある。【００１１】  試料室１４の頂部には、第二の開口２４と対称的に第三の開口２８が設けてあり、この開口２８は立ち上がり排気通路３０を経由して、細長い円筒形の本体１２の最上端の第四の開口３２に達するようにしてある。【００１２】  細長い熱電対から成る温度センサ３４が試料室１４の中央上部から試料室１４内に下方に向けて伸長するように頂壁２０を貫通して取り付けてあり、このセンサ３４の上端部は、本体１２の外部に設けた、従来公知の温度測定装置（図に示してない）に接続するコネクタ３６とし、本体１２の上部に設けた円筒状の第五の開口３８内に突出して終わっている。【００１３】  この第五の開口３８には、作業者がこの考案の試料採取容器１０を溶湯の中に挿入するために通常使用されている従来公知の紙筒製のハンドル４０の先端を挿入する。【００１４】  この考案は以上に詳しく述べたように構成してあるので、金属の溶湯の熱分析用試料採取容器１０の第五の開口３８にハンドル４０の先端を挿入して、試料採取容器１０を溶鉱炉によって融解され、保存炉に貯蔵されている高温度の金属の溶湯の上面に接近させると、容器１０内の第一の開口２２から通路２６，試料室１４，排気通路３０など、それまで容器１０内に充満していた空気が、溶湯の高温度によって容器１０の最上部の第四の開口３２を介して、すべて脱出する。
【産業上の利用可能性】
【００１５】  この考案の試料採取容器１０は以上に述べたように構成してあるので、従来のように溶湯を試料採取容器に注入する場合と異なり、溶湯が外気から完全に遮断されて試料室１４に充満することができるので、溶湯の温度が空気とともに脱出することがなく、金属の溶湯の冷却温度を的確に測定することができる。【００１６】  なお、この考案の金属の溶湯の熱分析用試料採取容器１０によれば、例えば、アルミニウム及びアルミニウム合金等の軽金属の溶湯の熱分析にも極めて有効に使用することができる。
【図面の簡単な説明】
【００１７】
【図１】この考案の金属の溶湯の熱分析用試料採取容器の縦断面図である。
【符号の説明】
【００１８】１０  熱分析用試料採取容器
１２  本体
１４  試料室
１６  底壁
１８，１９  周壁
２０  頂壁
２２  第一の開口
２４  第二の開口
２６  通路
２８  第三の開口
３０  排気通路
３２  第四の開口
３４  温度センサ
３６  コネクタ
３８  第五の開口
４０  ハンドル
【図１】
0003112178.tif 000003